(57)【要約】【課題】浮上ヘッドの浮上量を低減すると共に、その浮上ヘッドの耐久性を高める。【解決手段】本発明の一実施形態の磁気ディスクの製造方法は、磁気ディスク１１を回転させ、回転している磁気ディスク上において浮上ヘッド１２の浮上を維持する。浮上ヘッド１２はスライダ本体１２１とトレーリング端面２１１に形成されている素子部１２２とを有する。素子部内におけるヒータ素子２２１にパワーを与えることで、スライダ本体１２１の一部を突出させて、素子部１２２が磁気ディスク１１から離間した状態で、スライダ本体１２１の一部と磁気ディスク１１とを接触させる。【選択図】図３Ａ
2011129204.tif 000002
【特許請求の範囲】
【請求項１】
磁気ディスクの製造方法であって、
磁気ディスクを回転させ、
回転している前記磁気ディスク上において浮上ヘッドの浮上を維持し、前記浮上ヘッドはスライダ本体と、そのスライダ本体のトレーリング端面に形成されている素子部と、を有し、
前記素子部内におけるヒータ素子にパワーを与えることで、前記浮上ヘッドの一部を突出させて、前記素子部が前記磁気ディスクから離間した状態で、前記スライダ本体の一部と前記磁気ディスクとを接触させる、
磁気ディスクの製造方法。
【請求項２】
前記スライダ本体の浮上面は、
前記浮上面の中心よりも流出側にその中心を有し、正圧を生成する第１空気軸受け面と、
前記第１空気軸受け面の流出側にあって、前記第１空気軸受け面よりも小さい第２空気軸受け面と、を有し、
前記ヒータ素子にパワーを与えて前記第２空気軸受け面を突出させて前記磁気ディスクと接触させる、
請求項１に記載の磁気ディスクの製造方法。
【請求項３】
前記第２空気軸受け面と前記第１空気軸受け面との間の溝によって、前記第２空気軸受け面は前記第１空気軸受け面から完全に分離している、
請求項２に記載の磁気ディスクの製造方法。
【請求項４】
前記第２空気軸受け面の内周側及び外周側にも、前記第１空気軸受け面の一部が延在している、
請求項２に記載の磁気ディスクの製造方法。
【請求項５】
前記素子部の初期リセス量は４ｎｍ以上である、
請求項１に記載の磁気ディスクの製造方法。
【請求項６】
前記素子部の初期リセス量は、前記スライダ本体の浮上面における最も深い溝の深さ以上である、
請求項１に記載の磁気ディスクの製造方法。
【請求項７】
浮上ヘッドを磁気ディスク上で浮上させる装置であって、
前記磁気ディスクを回転させる、ディスク回転駆動部と、
回転している前記磁気ディスク上を浮上し、スライダ本体と前記スライダ本体のトレーリング端面に形成されている素子部とを有する、浮上ヘッドと、
前記浮上ヘッドを前記磁気ディスク上で支持する支持機構と、
前記素子部内におけるヒータ素子にパワーを与えることで前記浮上ヘッドの一部を突出させて、前記素子部が前記磁気ディスクから離間した状態で、前記スライダ本体と前記磁気ディスクとの接触をさせる、コントローラと、
を有する、装置。
【請求項８】
前記スライダ本体の浮上面は、
前記浮上面の中心よりも流出側にその中心を有し、正圧を生成する第１空気軸受け面と、
前記第１空気軸受け面の流出側にあって、前記第１空気軸受け面よりも小さい第２空気軸受け面と、を有し、
前記ヒータ素子にパワーを与えて前記第２空気軸受け面を突出させて前記磁気ディスクと接触させる、
請求項７に記載の装置。
【請求項９】
前記第２空気軸受け面と前記第１空気軸受け面との間の溝によって、前記第２空気軸受け面は前記第１空気軸受け面から完全に分離している、
請求項８に記載の装置。
【請求項１０】
前記第２空気軸受け面の内周側及び外周側にも、前記第１空気軸受け面の一部が延在している、
請求項８に記載の装置。
【請求項１１】
前記素子部の初期リセス量は４ｎｍ以上である、
請求項７に記載の装置。
【請求項１２】
前記素子部の初期リセス量は、前記スライダ本体の浮上面における最も深い溝の深さ以上である、
請求項７に記載の装置。
【請求項１３】
アルチックで形成されているスライダ本体と、
前記スライダ本体のトレーリング端面に形成されており、その初期リセス量は４ｎｍ以上である、素子部と、
前記素子部において、アルミナの保護膜内に形成されているヒータ素子と、
を有する浮上ヘッド。
【請求項１４】
前記スライダ本体の浮上面は、
前記浮上面の中心よりも流出側にその中心を有し、正圧を生成する第１空気軸受け面と、
前記第１空気軸受け面の流出側にあって、前記第１空気軸受け面よりも小さい第２空気軸受け面と、を有する、
請求項１３に記載の浮上ヘッド。
【請求項１５】
前記第２空気軸受け面と前記第１空気軸受け面との間の溝によって、前記第２空気軸受け面は前記第１空気軸受け面から完全に分離している、
請求項１４に記載の浮上ヘッド。
【請求項１６】
前記第２空気軸受け面の内周側及び外周側にも、前記第１空気軸受け面の一部が延在している、
請求項１４に記載の浮上ヘッド。
【請求項１７】
前記素子部の初期リセス量は、前記スライダ本体の浮上面の最も浅い溝の深さ以上である、
請求項１３に記載の浮上ヘッド。
【発明の詳細な説明】
【技術分野】
【０００１】
本発明は、磁気ディスクの製造方法、浮上ヘッドを磁気ディスク上で浮上させる装置及び浮上ヘッドに関する。
【背景技術】
【０００２】
現在、光ディスク、磁気ディスクあるいは光磁気ディスクなどの様々なメディアを使用する装置がデータ記憶装置として知られている。その中でも、ハードディスク・ドライブ（ＨＤＤ）は、コンピュータの外部記憶装置として広く普及している。さらに、ＨＤＤは、コンピュータにとどまらず、動画像記録再生装置、カーナビゲーション・システムあるいはデジタルカメラなどにも使用されている。
【０００３】
ＨＤＤは、磁気ディスクとその磁気ディスク上を浮上し、磁気ディスクにアクセスする磁気ヘッドとを有している。磁気ヘッドは、スライダとそのスライダ上の素子部（ヘッド素子部）とを有する。ヘッド素子部の記録再生素子と磁気ディスク記録層との間隔が小さいほど、磁気ディスクの記録密度を向上できる。そのため、ＨＤＤの情報記録密度向上に伴い、スライダ本体の低浮上化が進んでいる。
【０００４】
ＨＤＤの情報記録密度向上のためには、磁気ヘッドに搭載された記録素子／再生素子と、磁気ディスク表面にスパッタリング等によって構成される磁性膜との間隔、いわゆる磁気スペーシングを狭小化する必要がある。磁気ディスクと磁気ヘッドとの間のクリアランス、すなわち磁気ディスクのＤＬＣ保護膜から浮上時の磁気ヘッドの浮上最下点までの距離は、設計値で数ｎｍまでに低下してきている。
【０００５】
このように、磁気ディスクの高記録密度化に伴い、磁気ヘッドの浮上量の低減が要求され、それに伴い磁気ディスクと磁気ヘッドとの接触が発生する可能性が大きくなっている。リード処理あるいはライト処理におけるヘッド・ディスク接触は、パフォーマンスの低下あるいはユーザ・データの消失を招く。また、その接触の衝撃が大きい場合には、ヘッド素子部がダメージを受ける。そのため、極低浮上のヘッド・スライダと磁気ディスクとの接触の蓋然性を低減するため、磁気ディスクにはより高い平滑性が要求されている。
【０００６】
磁気ディスクの製造において、ディスク上に形成された不要な突起を浮上ヘッド（バーニッシュ・ヘッド）にて取り除くバーニッシュ処理が行なわれている。バーニッシュ処理は、磁気ディスク上に突起切削用のバーニッシュ・ヘッドを浮上させ、成膜時の異物によりディスク上に形成された不要な突起をバーニッシュ・ヘッドにて取り除く。バーニッシュ工程により、磁気ディスク表面を平坦化する。また、磁気ディスクの製造は、バーニッシュ処理の後、グライド・テストを行う。グライド・テストは、磁気ディスク上において浮上ヘッド（グライド・ヘッド）を浮上させ、磁気ディスク表面の状態（ＨＤＤにおけるヘッド・スライダ浮上状態）について検査を行なう。
【０００７】
バーニッシュ処理において、磁気ディスクの平滑性を高めるためには、バーニッシュ・ヘッドと磁気ディスク表面との間のクリアランス（最小距離）をできるだけ小さくすることが望ましい。また、ＨＤＤにおけるヘッド・ディスク接触を低減するためには、バーニッシュ・ヘッドのクリアランスが、ＨＤＤの動作時におけるクリアランスと近い値であることが望ましい。また、グライド・テストは、ＨＤＤにおける磁気ヘッドの浮上状態をテストするものであるので、グライド・ヘッドと磁気ディスクとの間のクリアランスは、ＨＤＤにおけるＨＤＤの動作時におけるクリアランスと近い値であることが要求される。
【０００８】
クリアランスの低減要求に対応するため、磁気ヘッドにクリアランス調整のアクチュエータを実装する技術が提案されている。例えば、特許文献１は、ヘッド素子部にヒータ素子を設け、そのヒータ素子からの熱によりヘッド素子部と磁気ディスクとの間のクリアランスを調整する技術を開示している。
【先行技術文献】
【特許文献】
【０００９】
【特許文献１】特開２００９−１５１８９０号公報
【発明の概要】
【発明が解決しようとする課題】
【００１０】
上述のように、バーニッシュ処理及びグライド・テストにおいて、バーニッシュ・ヘッド及びグライド・ヘッドと磁気ディスクとの間のクリアランスを小さくすることが要求されている。しかし、スライダ本体の浮上面デザインの改善のみで、上記ヒータ素子と同程度のクリアランスを得ることは困難である。したがって、バーニッシュ・ヘッド及びグライド・ヘッドにおいて、ＨＤＤにおけるヘッド・スライダのように、ヒータ素子によるクリアランス制御を行うことが好ましい。
【００１１】
しかし、ＨＤＤに実装される磁気ヘッドをバーニッシュ処理あるいはグライド・テストにおいて使用すると、その耐久性に大きな問題があることがわかった。ＨＤＤにおいては、素子クリアランスを小さくすることが要求される。そのため、ヒータ素子からの熱によってヘッド素子部が突出し、ヘッド素子部の先端が磁気ディスク表面に最も近い位置となる。磁気ヘッドが磁気ディスクと接触するとき、スライダ本体ではなくヘッド素子部が磁気ディスクと接触する。
【００１２】
ＨＤＤの磁気ヘッドを磁気ディスクの製造において使用する場合、同一の磁気ヘッドで、多くの磁気ディスクのバーニッシュ処理あるいはグライド・テストを行うことが要求される。しかし、磁気ヘッドと磁気ディスクとの接触回数が多くなると、ヘッド素子部が破損して、磁気ヘッドの交換が必要となる。したがって、バーニッシュ処理やグライド・テストなどにおいて、浮上ヘッドとディスクとの間のクリアランスを低減すると共に、その浮上ヘッドの耐久性を高めることができる技術が望まれる。
【課題を解決するための手段】
【００１３】
本発明の一態様は、磁気ディスクの製造方法である。この製造方法は、磁気ディスクを回転さる。回転している前記磁気ディスク上において浮上ヘッドの浮上を維持する。ここで、前記浮上ヘッドはスライダ本体と、そのスライダ本体のトレーリング端面に形成されている素子部とを有する。さらに、前記素子部内におけるヒータ素子にパワーを与えることで前記浮上ヘッドの一部を突出させて、前記素子部が前記磁気ディスクから離間した状態で、前記スライダ本体の一部と前記磁気ディスクとを接触させる。これにより、浮上ヘッドと磁気ディスクとのクリアランスを小さくすると共に、浮上ヘッドの耐久性を高めることができる。
【００１４】
好ましくは、前記スライダ本体の浮上面は、前記浮上面の中心よりも流出側にその中心を有し正圧を生成する第１空気軸受け面と、前記第１空気軸受け面の流出側にあって前記第１空気軸受け面よりも小さい第２空気軸受け面とを有する。さらに、前記製造方法は、前記ヒータ素子にパワーを与えて前記第２空気軸受け面を突出させて前記磁気ディスクと接触させる。これにより、効率的にスライダ本体の一部を突出させることができる。
【００１５】
好ましくは、前記第２空気軸受け面と前記第１空気軸受け面との間の溝によって、前記第２空気軸受け面は前記第１空気軸受け面から完全に分離している。これにより、第２空気軸受け面をさらに突出させやすくすることができる。
前記第２空気軸受け面の内周側及び外周側にも、記第１空気軸受け面の一部が延在していることが好ましい。これにより、浮上ヘッドのトレーリング端の確実な浮上を得ることができ、磁気ディスク上の内周、中周、外周での浮上量変化を小さくすることができる。
【００１６】
好ましくは、前記素子部の初期リセス量は４ｎｍ以上である。これにより、素子部を確実に磁気ディスクから離すことができる。
好ましくは、前記素子部の初期リセス量は、前記スライダ本体の浮上面における最も深い溝の深さ以上である。これにより、素子部をより確実に磁気ディスクから離すことができる。
【００１７】
本発明の他の態様は、浮上ヘッドを磁気ディスク上で浮上させる装置である。この装置は、前記磁気ディスクを回転させるディスク回転駆動部と、回転している前記磁気ディスク上を浮上しスライダ本体と前記スライダ本体のトレーリング端面に形成されている素子部とを有する浮上ヘッドと、前記浮上ヘッドを前記磁気ディスク上で支持する支持機構と、前記素子部内におけるヒータ素子にパワーを与えることで前記浮上ヘッドの一部を突出させて前記素子部が前記磁気ディスクから離間した状態で前記スライダ本体と前記磁気ディスクとの接触をさせるコントローラとを有する。これにより、浮上ヘッドと磁気ディスクとのクリアランスを小さくすると共に、浮上ヘッドの耐久性を高めることができる。
【００１８】
本発明の他の態様は、アルチックで形成されているスライダ本体と、前記スライダ本体のトレーリング端面に形成されており、その初期リセス量は４ｎｍ以上である素子部と、前記素子部においてアルミナの保護膜内に形成されているヒータ素子とを有する浮上ヘッドである。これにより、ヒータ素子による膨張により浮上ヘッドとディスクとの間のクリアランスを小さくしつつ、スライダ本体の一部とディスクとを接触させることができ、浮上ヘッドの耐久性を高めることができる。
【発明の効果】
【００１９】
本発明によれば、ディスク上を浮上する浮上ヘッドとディスクとの間のクリアランスを小さくすると共に、その浮上ヘッドの耐久性を高めることができる。
【図面の簡単な説明】
【００２０】
【図１】本実施形態において、磁気ディスクの製造の工程を示すフローチャートである。
【図２】本実施形態において、グライド・テスト装置の構成を模式的に示す図である。
【図３Ａ】本実施形態に係る浮上ヘッドの構造及びヒータ素子によるクリアランス（浮上量）変化とヘッド形状変化について説明する図である。
【図３Ｂ】比較例の浮上ヘッドの構造及びヒータ素子によるクリアランス変化とヘッド形状変化について説明する図である。
【図４】本実施形態において、ヒータ素子を含む素子部をトレーリング端面に形成した浮上ヘッドのクリアランス測定の結果を示すグラフである。
【図５Ａ】本実施形態の好ましい浮上ヘッドの浮上面構造を示す平面図である。
【図５Ｂ】本実施形態の好ましい浮上ヘッドの浮上面構造を示す斜視図である。
【図６Ａ】本実施形態の浮上ヘッドの浮上面の平面図である。
【図６Ｂ】比較例である従来の浮上面を示す平面図である。
【図７Ａ】本実施形態において、素子部の好ましい初期リセス位置を模式的に示す断面図である。
【図７Ｂ】本実施形態において、素子部の好ましい他の初期リセス位置を模式的に示す断面図である。
【図７Ｃ】本実施形態において、素子部の好ましい他の初期リセス位置を模式的に示す断面図である。
【図８Ａ】本実施形態の他の好ましい浮上ヘッドの浮上面構造を示す平面図である。
【図８Ｂ】本実施形態の他の好ましい浮上ヘッドの浮上面構造を示す斜視図である。
【発明を実施するための形態】
【００２１】
以下に、本発明の好ましい実施の形態を説明する。説明の明確化のため、以下の記載及び図面は、適宜、省略及び簡略化がなされている。又、各図面において、同一要素には同一の符号が付されており、説明の明確化のため、必要に応じて重複説明は省略されている。本実施形態においては、磁気ディスク・ドライブの例として、ハードディスク・ドライブ（ＨＤＤ）について説明する。磁気ディスク・ドライブは、浮上ヘッドを磁気ディスク上で浮上させる装置ある。
【００２２】
磁気ディスクの製造は、バーニッシュ処理とグライド・テストを行う。バーニッシュ処理は、浮上ヘッドを磁気ディスク上において浮上させ、磁気ディスク表面の突起の除去を行なう。グライド・テストは、浮上ヘッドを磁気ディスク上において浮上させ、磁気ディスク表面の検査を行なう。本実施形態の磁気ディスクの製造は、バーニッシュ処理あるいてグライド・テストにおいて、スライダ上に形成されているヒータ素子を使用してクリアランスを小さくする。
【００２３】
これにより、磁気ディスク表面のより好ましい平滑化及び適切な磁気ディスク表面検査を行なうことができる。本明細書において、浮上ヘッドは、スライダのみからなる構成及びスライダとそのスライダ上の素子部とからなる構成のいずれも含む。また、素子部の構成は限定しない。
【００２４】
ヒータ素子によるクリアランスの低減において、浮上ヘッドは、ヒータ素子を含む素子部ではなく、スライダ本体の一部が最も低い位置で浮上するように変形する。これによって、破損しやすい素子部ではなく硬質なスライダ本体が磁気ディスクと接触する。浮上ヘッドが繰り返し磁気ディスク（上の突起）と衝突しても、浮上ヘッドの破損を防ぐことができる。
【００２５】
磁気ディスクの製造は、図１のフローチャートに示すように、基板上に必要な磁気記録層を含む複数層からなる積層膜を形成し、その後、バーニッシュ処理、そしてグライド・テストを行なう。グライド・テストにおいて規定の条件を超える突起が検出されると、磁気ディスクを欠陥品として廃棄するか、再度、バーニッシュ処理を行う。磁気ディスクの製造の流れの例を、図１のフローチャートを参照して説明する。
【００２６】
ガラスあるいはアルミニウム基板を洗浄して乾燥させた後、その上に下地層を形成する（Ｓ１１）。次に、形成した下地層の上に軟磁性層を形成する（Ｓ１２）。典型的には、軟磁性層はＣｏＣｒ系合金磁性膜である。続いて、軟磁性層の上に中間層を形成し、さらに、その上に磁気記録層を形成する（Ｓ１３）。典型的には、中間層はＲｕ層であり、磁気記録層はＣｏＣｒＰｔ系合金磁性膜である。
【００２７】
Ｒｕ中間層により、軟磁性層と磁気記録層とが交換結合し、磁気記録層の向きが制御される。磁気記録層を形成した後、その磁気記録層の上にダイヤモンド・ライク・カーボン（ＤＬＣ）保護膜を成膜する（Ｓ１４）。最後に、ＤＬＣ保護膜上にパーフロロアルキルポリエーテル系の潤滑剤を塗布して、潤滑膜を形成する（Ｓ１５）。
【００２８】
積層膜形成（Ｓ１１〜Ｓ１５）が終了すると、磁気ディスクを、バーニッシュ処理装置に設置してバーニッシュ処理を行う（Ｓ１６）。バーニッシュ処理は、磁気ディスク上の突起除去あるいはクリーニングのための処理である。バーニッシュ処理装置は、回転する磁気ディスク上で浮上するスライダをディスク半径方向において移動させ、スライダを磁気ディスク表面上の突起にぶつけることによって除去する。
【００２９】
バーニッシュ処理（Ｓ１６）により磁気ディスク表面突起の除去を行なうと、磁気ディスクをグライド・テスト装置に設置し、グライド・テストを行う（Ｓ１７）。グライド・テストは磁気ディスクの表面状態を検査するテストである。グライド・テスト装置は、回転する磁気ディスク上で浮上する浮上ヘッドをディスク半径方向において移動させ、浮上ヘッドをディスク半径方向に移動することで磁気ディスク表面上の突起の有無を調べる。グライド・テストは、磁気ディスク表面に浮上ヘッドの浮上を阻害する突起が存在しないディスクを選別する。
【００３０】
バーニッシュ処理（Ｓ１６）とグライド・テスト（Ｓ１７）とは、同一の装置で行なうこともできる。この場合、製膜処理を行った磁気ディスクをバーニッシュ・グライド・テスト装置に設置し、装置は回転する磁気ディスク上を浮上する浮上ヘッドで磁気ディスク表面の塵埃や微小な突起を除去した後、同じ浮上ヘッドを使用して、直ちに連続してグライド・テストによる表面検査を行なうことができる。
【００３１】
図２は、グライド・テスト装置１の構成を模式的に示す図である。フレーム１０内において、スピンドル・モータ（ＳＰＭ）１４は所定の角速度で検査対象の磁気ディスク１１を回転する。磁気ディスク１１は、上述のように、基板上とその上に形成された積層膜で構成されている。浮上ヘッド（グライド・ヘッド）１２は、回転する磁気ディスク１１上を浮上する。
【００３２】
本実施形態において、浮上ヘッド１２は、磁気ディスク１１上を浮上するスライダ（スライダ本体）と、そのスライダの側面に形成された素子部とを有している。素子部はヒータ素子を有しており、磁気ディスク１１と浮上ヘッド１２とのクリアランスを変化させる。浮上ヘッド１２の構造については後述する。
【００３３】
アクチュエータ１６は、浮上ヘッド１２を支持し、それを磁気ディスク１１上で移動する。浮上ヘッド１２の移動機構であるアクチュエータ１６は、ボイス・コイル・モータ（ＶＣＭ）１５に連結され、回動軸を中心に回動することによって、浮上ヘッド１２を回転する磁気ディスク１１上においてその半径方向に移動する。浮上ヘッド１２の移動機構は、どのような構造を有していてもよい。例えば、磁気ディスク１１が実装されるＨＤＤのアクチュエータと同様の構造を有する、あるいは、ディスク半径方向において軸上を直線的に移動する構造でもよい。
【００３４】
モータ・ドライバ・ユニット２２は、コントローラ２３からの制御データに従って、ＳＰＭ１４とＶＣＭ１５とを駆動する。コントローラ２３は、ＳＰＭ１４とＶＣＭ１５の他、グライド・テスト装置１における動作を制御する。さらに、コントローラ２３は、テスト結果の解析を行う。
【００３５】
アクチュエータ１６には、アコースティック・エミッション・センサ（ＡＥセンサ）１３が装着されている。浮上ヘッド１２が磁気ディスク１１と接触するとアクチュエータ１６が振動する。ＡＥセンサ１３はアクチュエータ１６の振動を感知し、感知信号をコントローラ２３へと送る。コントローラ２３はＤＡコンバータを有しており、ＡＥ出力信号をＤＡ変換して、ＡＥ信号から浮上ヘッド１２と磁気ディスク１１との接触の有無を判定する。例えば、ＡＥ出力が規定の閾値を超える場合、コントローラ２３は浮上ヘッド１２が突起に衝突したと判定する。コントローラ２３は、測定データと判定結果とをメモリ２４に格納する。
【００３６】
上述のように、本実施形態の浮上ヘッド１２は、クリアランス制御のためのヒータ素子を有している。コントローラ２３は、ヒータ素子を制御することでクリアランスを制御する。具体的には、コントローラ２３は、プリアンプＩＣ１７を介して、ヒータ素子を制御する。コントローラ２３は、プリアンプＩＣ１７のレジスタにヒータ・パワーを示す制御データをセットする。プリアンプＩＣ１７は、その制御データが示すパワーをヒータ素子に供給する。
【００３７】
バーニッシュ処理とグライド・テストを同一の装置で行う場合、コントローラ２３は、バーニッシュ処理において、ＡＥセンサ１３による突起検出の処理を行う必要はない。バーニッシュ処理を行った後、すぐに、グライド・テストを開始する。コントローラ２３は、ヒータ素子を制御して、バーニッシュ処理とグライド・テストにおいて異なるクリアランスを設定してもよいし、あるいは同一のクリアランスを設定してもよい。
【００３８】
以下において、本実施形態の浮上ヘッド１２の構造、及び、ヒータ素子によるクリアランス変化と浮上ヘッド１２の形状変化とについて具体的に説明を行なう。図３Ａは、本実施形態の浮上ヘッド１２の形状変化を示している。図３Ｂは、比較例である浮上ヘッド３０の形状変化を示している。実線で示す部分は、グライド・テストあるいはバーニッシュ処理において磁気ディスク１１上を浮上している浮上ヘッド１２、３０の形状を示している。
【００３９】
本実施形態の浮上ヘッド１２は、スライダ本体１２１とスライダ本体１２１のトレーリング端面２１１に形成されている素子部１２２とを有している。素子部１２２は、ヒータ素子２２１とその周囲の保護膜２２２で形成されている。比較例の浮上ヘッド３０も同様に、スライダ本体３０１とスライダ本体３０１のトレーリング端面３１１に形成されている素子部３０２とを有している。素子部３０２は、ヒータ素子３２１とその周囲の保護膜３２２で形成されている。各構成要素の材料は、本実施形態の浮上ヘッド１２と比較例の浮上ヘッド３０とで同じである。
【００４０】
スライダ本体１２１は典型的にはアルチック（ＡｌＴｉＣ）で形成されている。アルチックはアルミナと炭化チタンの焼成材でセラミックである。ヒータ素子２２１は、典型的には、パーマロイあるいはニクロムで形成される。また、保護膜２２２は、典型的には、アルミナで形成される。スライダ本体１２１は、素子部１２２よりも堅牢な構成を有している。
【００４１】
バーニッシュ処理あるいはグライド・テストにおいて、素子部１２２はリード処理及びライト処理を行う必要がない。したがって、素子部１２２は、それらの素子を有する必要はない。しかし、設計によっては、素子部１２２が、リード素子（磁気抵抗効果素子）やライト素子（コイル素子）などを有していてもよい。
【００４２】
本実施形態の浮上ヘッド１２と比較例の浮上ヘッド３０とは、素子部１２２、３０２の初期リセス量が異なる。図３Ａ、図３Ｂに示すように、本実施形態の浮上ヘッド１２において初期リセス量はＲ１であり、比較例の浮上ヘッド３０の初期リセス量はＲ２で示している。初期リセス量は、スライダ本体１２１、３０１の浮上面におけるトレーリング端と素子部１２２、３０２の浮上面（磁気ディスクに対向する下面）との間のレベル差（間隔）である。初期リセス量は、ヒータ素子２２１、３２１が発熱していない状態で定義される。
【００４３】
本実施形態の浮上ヘッド１２の初期リセス量Ｒ１は、比較例３０の初期リセス量Ｒ２よりも大きい。つまり、ヒータＯＦＦの状態において、素子部１２２と磁気ディスク１１との間のクリアランスは、比較例の素子部３０２と磁気ディスク１１とのクリアランスよりも大きい。
【００４４】
図３Ａ、図３Ｂに示すように、ヒータ素子２２１、３２１が発熱すると、素子部１２２、３０２に加え、スライダ本体１２１、３０１のトレーリング端も突出する。比較例の浮上ヘッド３０において、ヒータ素子３２１からの熱により素子部３０２とスライダ本体３０１が突出すると、素子部３０２の先端（最下端）が浮上ヘッド３０の最下点となる。一方、本実施形態の浮上ヘッド１２において、ヒータ素子２２１から熱により素子部１２２とスライダ本体１２１の一部が突出すると、スライダ本体１２１の最下端（浮上面のトレーリング端）が浮上ヘッド１２の最下点となる。
【００４５】
上述のように図３Ａ、図３Ｂのそれぞれの図は、グライド・テストあるいはバーニッシュ処理など、磁気ディスク製造の工程における磁気ディスク１１上を浮上している浮上ヘッド１２、３０の形状を示している。これらの処理において、比較例の浮上ヘッド３０のクリアランス制御の対象は、素子部３０２と磁気ディスク１１との間のクリアランスである。これに対して、本実施形態の浮上ヘッド１２のクリアランス制御の対象は、スライダ本体１２１と磁気ディスク１１との間のクリアランスである。
【００４６】
このように、本実施形態の浮上ヘッド１２の最下点は、素子部１２２ではなくスライダ本体１２１の最下点である。このため、磁気ディスク表面の突起との接触は、素子部１２２ではなく、スライダ本体１２１と磁気ディスク１１との間で起きる。これにより、浮上ヘッド１２が磁気ディスク１１に対して多数回接触しても、浮上ヘッド１２への大きなダメージを避けることができ、その耐久性を高めることができる。
【００４７】
素子部１２２内に形成されているヒータ素子２２１からの熱によって、素子部１２２よりもスライダ本体１２１が磁気ディスク１１に近くなるように、素子部１２２とスライダ本体１２１とを変形させる好ましい一つの手法は、素子部１２２の初期リセス量を大きくすることである。図４は、ヒータ素子を含む素子部をトレーリング端面に形成した浮上ヘッドのクリアランス測定の結果を示すグラフである。スライダ本体はアルチック、素子部の保護膜はアルミナで形成した。
【００４８】
図４のグラフにおいて、Ｘ軸はスライダ本体のトレーリング端面（０で示している）を基準とする相対位置であり、Ｙ軸は浮上ヘッド浮上面の突出位置を示している。ヒータには、実際の処理において使用するパワーを供給した。Ｙ軸における値が大きいほど磁気ディスクに近い位置にあることを意味する。図４に示すように、測定に使用した浮上ヘッドにおいて、素子部の先端が最下点であり、磁気ディスクに最も近い位置にあった。
【００４９】
素子部の最下点（浮上ヘッドの最下点）とスライダ本体の最下点との間の差は、１ｎｍであった。浮上ヘッドの初期リセス量は２ｎｍであった。したがって、初期リセス量が３ｎｍよりも大きければ、ヒータ素子からの熱により、スライダ本体のトレーリング端を浮上ヘッドの最下点にすることができる。浮上ヘッドのばらつきを考慮し、また、突起との衝突における素子部への影響を確実にさけるため、浮上ヘッドは、４ｎｍ以上の初期リセス量を有することが好ましい。
【００５０】
素子部よりもスライダ本体が磁気ディスクに近い位置となるように、ヒータ素子からの熱でそれらを変形させるには、スライダ本体のトレーリング端がヒータ素子からの熱により突出しやすい形状を有していることが有効である。以下において、スライダ本体１２１の好ましい形状について説明を行なう。
【００５１】
図５Ａは、好ましい浮上ヘッド１２の浮上面構造を模式的に示す平面図であり。図５Ｂは、その斜視図である。図５Ａにおいて、浮上ヘッド１２の浮上面５０は、スライダ本体１２１の浮上面５１と素子部１２２の浮上面５２とを有している。浮上面５０は磁気ディスク１１の記録面に対向する面である。スライダ本体１２１は、流入端面であるリーディング端面２１２と流出端面であるトレーリング端面２１１とを有している。
【００５２】
磁気ディスク１１は、表面上に空気を引き込みながら回転する。気流路は、浮上ヘッド１２の浮上面５０と磁気ディスク１１表面の間で狭められるため、空気が圧縮されて、圧力が増大し、浮上面５０にその圧力がかかる。この圧力が揚力を発生させ、浮上ヘッド１２を支持するサスペンションの押圧力とバランスする。
【００５３】
図５Ａに示すスライダ本体浮上面において、同一の番号（［１］〜［３］）で示す面は、同一のレベル（高さ）に形成されている。浮上面の最表面を最も高い面（高いレベルの面）と定義する。面［１］が最表面の空気軸受け面であり、スライダ本体浮上面５１の基準面の高さである。面［２］が浅溝の底面（段差面）で二番目に高い面、そして面［３］が深溝の底面であって最も低い面である。
【００５４】
スライダ本体浮上面５１は、流入側段差面５１１、流入側パッド面５１２、５１３、中央深溝底面５１４、中央段差面５１５、流出側中央パッド面５１６、流出側深溝底面５１７、流出側中央パッド面５１６の流出側にあるアイランド・パッド面５１８などの面を有している。パッド面５１２、５１３、５１６、５１８は、空気軸受け面である。空気は、流入端から浮上面５１と磁気ディスク１１との間に入り、流入側段差面５１１で圧縮される。圧縮された空気は、流入側パッド面５１２、５１３に流れ、そこで大きな正圧が発生する。
【００５５】
流入側段差面５１１から中央深溝底面５１４上を流れた空気は、中央段差面５１５で圧縮される。圧縮された空気は、流出側中央パッド面５１６に流れそこで大きな正圧が発生する。流出側中央パッド面５１６の中心（飛行方向における中心）は、浮上面５１の中心よりも流出側にある。また、本例において、流出側中央パッド面５１６の全体（流入側端）が浮上面５１の中心よりも流出側にあるが、流出側中央パッド面５１６の一部は中心よりも流入側にあってもよい。
【００５６】
流出側中央パッド面５１６の流出側に、流出側中央パッド面５１６から分離したアイランド・パッド面５１８が形成されている。流出側中央パッド面５１６とアイランド・パッド面５１８との間には流出側深溝が存在しており、その底面５１７からアイランド・パッド面５１８に流れた空気により正圧が発生する。
【００５７】
ヒータ素子２２１の発熱によりアイランド・パッド面５１８が突出し、アイランド・パッド面５１８と磁気ディスク表面との間において、浮上ヘッド１２のクリアランス（最低浮上高）が決まる。アイランド・パッド面５１８を素子部１２２のヒータ素子２２１からの熱により効率的に突出させるため、ヒータ素子２２１は、トレーリング端面２１１上において、アイランド・パッド面５１８をトレーリング端面２１１の法線方向において流出側に射影した領域Ａに、形成されていることが好ましい。
【００５８】
アイランド・パッド面５１８は、流出側中央パッド面５１６から溝によって完全に分離されている。アイランド・パッド面５１８をヒータ素子２２１からの熱により突出させることで、スライダ本体１２１の一部を突出させやすし、スライダ本体１２１の一部を浮上ヘッド１２の最下点とすることがより容易となる。この構成により、素子部１２２の設計の自由度を上げ、ヒータ・パワーを低減させることができる。
【００５９】
上述のように本実施形態の浮上ヘッド浮上面５０は、アイランド・パッド面５１８に特徴を有している。図６Ａは、本実施形態の浮上ヘッド１２の浮上面５０の平面図であり、図６Ｂは、比較例である従来の浮上面６０を示す平面図である。図６Ａは、図５Ａと同一である。
【００６０】
従来の浮上面６０は、大きな流出側中央パッド面６０１がスライダ本体のトレーリング端面まで延びており、本実施形態のアイランド・パッド面５１８に相当するパッド面を有してない。また、素子部の浮上面６２は、流出側中央パッド面６０１と同一レベルにある領域を有している。実際は、素子部の浮上面６２は、流出側中央パッド面６０１よりもわずかに低く、浮上ヘッド１２の製造における研磨処理で形成された初期リセスが存在する。
【００６１】
図６Ａに示す本実施形態の浮上面５０において、ヒータ素子２２１からの熱により大きく突出するアイランド・パッド面５１８が、流出側中央パッド面５１６から溝によって完全に分離している。アイランド・パッド面５１８の面積は、流出側中央パッド面５１６の面積よりも小さい。アイランド・パッド面５１８の面積を小さくすることで、ヒータ素子２２１からの熱により、アイランド・パッド面５１８を突出しやすくすることができる。
【００６２】
好ましくは、アイランド・パッド面５１８の面積は、流出側中央パッド面５１６の面積の２０％以下である。アイランド・パッド面５１８の流入側に大きな流出側中央パッド面５１６を形成することで、アイランド・パッド面５１８の面積が小さくとも、トレーリング端における必要な揚力を得ることができる。
【００６３】
アイランド・パッド面５１８の浮上をより確実に行なうため、流出側中央パッド面５１６をトレーリング端面２１１の法線方向において流出側に射影した領域Ｂ内に、アイランド・パッド面５１８の全てが含まれていることが好ましい。また、浮上ヘッド１２がディスク上最内周位置から最外周位置の範囲内のいずれの位置においても、流出側中央パッド面５１６を気流方向（円周方向）における流出側に射影した領域内に、アイランド・パッド面５１８の全てが含まれていることが好ましい。
【００６４】
図６Ａに示すように、流出側中央パッド面５１６の一部は、アイランド・パッド面５１８の流入側のみならず、内周側と外周側にも存在していることが好ましい。流出側中央パッド面５１６の（流出側以外の）３方に流出側中央パッド面５１６が延在していることで、アイランド・パッド面５１８の面積を小さくしつつトレーリング端の確実な浮上を得ることができ、内周、中周、外周での浮上量変化を小さくすることができる。また、流出側中央パッド面５１６がアイランド・パッド面５１８の三方を囲むことで、アイランド・パッド面５１８への異物の付着を抑制することができる。
【００６５】
図６Ａに示す浮上面５０において、アイランド・パッド面５１８の流出側以外の三方に段差面が形成されており、アイランド・パッド面５１８の流出側には深溝が形成されている。設計によっては、アイランド・パッド面５１８の周囲が深溝であってもよい。あるいは、アイランド・パッド面５１８の周囲が浅溝であって、アイランド・パッド面５１８と流出側中央パッド面５１６との間を段差面（浅溝の底面）でつないでもよい。典型的には、アイランド・パッド面は、ディスク半径方向における中央に形成するが、内周側あるいは外周側に寄せて形成してもよい。
【００６６】
図７Ａに示すように、好ましい本構成例において、アイランド・パッド面５１８はトレーリング端面２１１に達しておらず、素子部１２２には空気軸受け面が形成されていない。アイランド・パッド面５１８の流出側には深溝の底面であるレベル［３］の面が形成されており、素子部１２２の浮上面位置もそのレベルと略一致している。上述のように、素子部１２２よりもスライダ本体１２１を突出させるためには、素子部１２２の初期リセス量は大きいことが好ましい。本構成例においては、素子部１２２において突出する部分の初期リセス量（スライダ最下点からの距離）は、深溝の深さ以上である。
【００６７】
アイランド・パッド面５１８は従来のスライダ構造と比較して突出しやすいため、素子部１２２の初期リセス量を小さくすることができる。しかし、好ましい構成においては、素子部１２２には空気軸受け面が形成されておらず、素子部１２２がスライダ本体１２１の浅溝底面あるいは深溝底面に続くように形成されることが好ましい。図７Ｂに示すように素子部１２２の浮上面が浅溝底面のレベルと略一致するとき、初期リセス量は、浅溝の底面である段差面の深さ以上である。
【００６８】
図７Ｃに示すように、アイランド・パッド面５１８とトレーリング端面２１１との間に、浅溝と深溝が段階的に形成されていてもよい。初期リセス量は、浅溝の深さ以上であることが好ましく、深溝の深さ以上であることがさらに好ましい。この点は、従来の流出側中央パッド面構造を有する浮上ヘッドにおいても同様である。典型的には、浅溝の深さは数百ｎｍであり、深溝の深さは数千ｎｍである。
【００６９】
図８Ａ、図８Ｂは、他の好ましい浮上面構造を示す図である。図８Ａは、浮上面７０の平面図であり、図８Ｂはその斜視図である。図５Ａ、図５Ｂに示す浮上面５０と異なる点は、ヒータ素子２２１により突出するパッド面の形状である。他の部分は実質的に二つの浮上面形状において同様であり、以下においては、熱により突出するパッド面及びその周囲の形状について説明を行なう。
【００７０】
スライダ本体の浮上面７１において、ヒータ素子２２１の熱による突出するパッド面７１８は、流出側中央パッド面７１６から完全には分離しておらず、それらの間にそれらと同一レベルのブリッジ面７１９が形成されている。パッド面７１８の周囲の大部分は溝が囲み、流出側中央パッド面７１６から離れているが、その一部はブリッジ面７１９により流出側中央パッド面７１６とつながっている。
【００７１】
ブリッジ面７１９は、気体の流出入方向（図において上下方向）において延びており、パッド面７１８と流出側中央パッド面７１６とを結んでいる。ブリッジ面７１９の最大幅（図において左右方向における寸法）は、パッド面７１８の流出側端及び流入側端の幅よりも小さい。ヒータ素子２２１からの熱によるパッド面７１８の突出に対するブリッジ面７１９の影響は小さく、その突出を実質的に阻害することはない。
【００７２】
ヒータ素子２２１からの熱によりパッド面を効率的に突出させるためには、図５を参照して説明したアイランド・パッド面５１８のように、流入側の流出側中央パッド面５１６から完全に分離していることが好ましい。しかし、パッド面の突出に実質的な悪影響を及ぼすことがないのであれば、本構成のように、突出するパッド面の一部と流出側中央パッド面の一部とがブリッジ面でつながっていてもよい。図８Ａ、図８Ｂの構成例において、突出するパッド面７１８の周囲は、ブリッジ面７１９の領域を除き、浅溝の底面（段差面［２］）が形成されている。これらの領域は、深溝の底面［３］であってもよい。
【００７３】
本構成においても、ヒータ素子２２１は、トレーリング端面２１１上において、パッド面７１８をトレーリング端面２１１の法線方向において流出側に射影した領域Ａに形成されている。スライダ本体のトレーリング端２１１は深溝の底面［３］であり、素子部１２２の初期リセス量は深溝の深さ以上である。初期リセス量については、上記他の好ましい構成における説明を、本構成にも適用することができる。
【００７４】
以上、本発明を好ましい実施形態を例として説明したが、本発明が上記の実施形態に限定されるものではない。当業者であれば、上記の実施形態の各要素を、本発明の範囲において容易に変更、追加することが可能である。例えば、本発明はＨＤＤに特に有用であるが、それ以外の装置に使用する磁気ディスクの製造あるいはその磁気ディスク上で浮上ヘッドを浮上させる装置に適用してもよい。
【００７５】
本発明は、溝の深さレベルが１つあるいは３以上の浮上ヘッドに適用することができる。そのような浮上ヘッドにおいて、初期リセス量は、最も浅い溝の深さ以上であることが好ましく、さらに好ましくは、最も深い溝の深さ以上である。本発明は、製品としてのＨＤＤに適用することができる。ＨＤＤは、磁気ディスク上で浮上ヘッドを浮上させる装置の一つであり、例えば、ＨＤＤ内の浮上ヘッドによりバーニッシュ処理を行ってもよい。浮上ヘッドはリード素子及びライト素子を有している。
【符号の説明】
【００７６】
１０  フレーム、１１  磁気ディスク
１２  浮上ヘッド、１３  アコースティック・エミッション・センサ
１４  スピンドル・モータ、１５  ボイス・コイル・モータ、１６  アクチュエータ、
１７  プリアンプＩＣ、２２  モータ・ドライバ・ユニット、２３  コントローラ
２４  メモリ、３０  浮上ヘッド、５０  浮上面、５１  スライダ本体浮上面
５２  素子部浮上面、７０  浮上面、７１  スライダ本体浮上面
１２１  スライダ本体、１２２  ヘッド素子部、２１１  トレーリング端面
２１２  リーディング端面、２２１  ヒータ素子、２２２  アルミナ保護膜
３０１  素子部、３０１  スライダ本体、３２１  ヒータ素子、３２２  アルミナ保護膜
５１１  流入側段差面、５１２、５１３  流入側パッド面
５１４  中央深溝底面、５１５  中央段差面、５１６  流出側中央パッド面
５１７  流出側深溝底面、５１８  アイランド・パッド面、７１８  突出するパッド面
７１６  流出側中央パッド面、７１９  ブリッジ面
【図１】
2011129204.tif 000003
【図２】
2011129204.tif 000004
【図３Ａ】
2011129204.tif 000005
【図３Ｂ】
2011129204.tif 000006
【図４】
2011129204.tif 000007
【図５Ａ】
2011129204.tif 000008
【図５Ｂ】
2011129204.tif 000009
【図６Ａ】
2011129204.tif 000010
【図６Ｂ】
2011129204.tif 000011
【図７Ａ】
2011129204.tif 000012
【図７Ｂ】
2011129204.tif 000013
【図７Ｃ】
2011129204.tif 000014
【図８Ａ】
2011129204.tif 000015
【図８Ｂ】
2011129204.tif 000016